(57)【要約】【課題】液晶表示装置の表示品質を高めることが可能な技術を提供することを目的とする。【解決手段】液晶表示装置は、液晶を含む液晶層と、液晶に電圧を印加する電極と、液晶層を挟む一対の偏光板とを含む液晶パネルを備える。液晶パネルの局所エリアの透過率を予め定められた極小値にする場合に、局所エリアの液晶に第１電圧が印加され、液晶パネルの局所エリア以外の残りのエリアの透過率を予め定められた極小値にする場合に、残りのエリアの液晶に第２電圧が印加される。第１電圧が第２電圧と異なる。【選択図】図７
2020201429.tif 000002
【特許請求の範囲】
【請求項１】
液晶を含む液晶層と、前記液晶に電圧を印加する電極と、前記液晶層を挟む一対の偏光板とを含む、ノーマリーブラック方式の液晶パネルを備え、
前記電圧が印加されていない場合の前記液晶の配向軸方向は、ホモジニアス配向の方向であり、かつ、前記電圧が印加された場合に前記液晶の配向軸方向が回転する方向とは逆の方向に、前記一対の偏光板のうちの一方の偏光板の吸収軸方向からシフトさせた方向であり、
前記液晶パネルの局所エリアの透過率を予め定められた極小値にする場合に、前記局所エリアの前記液晶に前記電圧として第１電圧が印加され、
前記液晶パネルの前記局所エリア以外の残りのエリアの透過率を予め定められた極小値にする場合に、前記残りのエリアの前記液晶に前記電圧として第２電圧が印加され、
前記第１電圧が前記第２電圧と異なる、液晶表示装置。
【請求項２】
請求項１に記載の液晶表示装置であって、
前記液晶パネルは、異型及び湾曲の少なくともいずれかを有し、
前記局所エリアは、予め特定された特定エリアである、液晶表示装置。
【請求項３】
請求項１に記載の液晶表示装置を製造する製造方法であって、
前記液晶パネルの全エリアの前記液晶に前記第２電圧を印加した場合の、前記全エリアの輝度の分布に基づいて、前記局所エリアを決定する、液晶表示装置の製造方法。
【請求項４】
請求項３に記載の液晶表示装置の製造方法であって、
前記局所エリアの前記液晶に印加される前記電圧の変化に対する、前記局所エリアの透過率の変化に基づいて、前記第１電圧を決定する、液晶表示装置の製造方法。
【請求項５】
請求項２に記載の液晶表示装置を製造する製造方法であって、
前記液晶パネルと同じ試作パネルを準備し、前記試作パネルの全エリアの液晶に前記第２電圧を印加した場合の、前記全エリアの輝度の分布に基づいて、前記特定エリアを特定する、液晶表示装置の製造方法。
【請求項６】
請求項５に記載の液晶表示装置の製造方法であって、
前記試作パネルの前記特定エリアの前記液晶に印加される前記電圧の変化に対する、当該試作パネルの前記特定エリアの透過率の変化に基づいて、前記第１電圧を決定する、液晶表示装置の製造方法。
【発明の詳細な説明】
【技術分野】
【０００１】
本発明は、液晶表示装置、及び、その製造方法に関する。
【背景技術】
【０００２】
一般に、液晶表示装置では、透明基板上に薄膜トランジスタ（Thin Film Transistor：以下「ＴＦＴ」という）を複数配設したアレイ基板と、透明基板上にカラーフィルタ（Color Filter：以下「ＣＦ」という）を配設した対向基板との間に液晶を封止した液晶パネルが用いられる。アレイ基板にはＴＦＴ及びＴＦＴに接続される液晶駆動電極等がマトリックス状のアレイに配設されている。
【０００３】
従来、液晶パネルの液晶駆動方式として、ツイステッドネマティック（Twisted Nematic：以下「ＴＮ」という）モードが採用されている。このＴＮモードでは、アレイ基板と対向基板との間に封止された液晶に印加する電界の方向を基板面にほぼ垂直な方向とし、水平方向に配向していた液晶層の分子（以下、単に液晶と記すこともある）を電界により垂直方向に配向させることで動作する。しかしながら、このＴＮモードは、液晶が電界によって垂直方向に配向する際、基板に対してある角度を持つため、液晶パネルを見る方向によって明るさが異なり、かつ、視野角を広くできないという問題点を有している。
【０００４】
これに対して、液晶に印加する電界の方向を基板面に略平行な方向にして、水平方向に液晶を横電界により回転させるフリンジフィールドスイッチング（Fringe Field Switching：以下「ＦＦＳ」という）モードやインプレインスイッチング（In-Plane Switching：以下「ＩＰＳ」という（ＩＰＳは登録商標））モードなどの横電界方式の液晶表示装置が提案されている。横電界方式の液晶表示装置では、液晶の長軸は基板面とほぼ平行となり、基板の垂直方向に液晶が立ち上がることがないので、液晶パネルへの視角方向を変えたときの明るさの変化が小さく、いわゆる視野角依存性を低減することができる。このため、横電界方式の液晶表示装置は、縦電界方式であるＴＮモードの液晶表示装置に比べて視野角が広く、表示品質の優れた液晶表示装置として知られている。
【０００５】
これらのＦＦＳモードやＩＰＳモードの横電界方式の液晶パネルは、水平方向に配向された液晶、すなわちホモジニアス配向の液晶を横電界により回転させることで動作する。アレイ基板及び対向基板の外側に貼付された一対の偏光板の吸収軸方向は互いに直交しており、液晶の配向軸方向（例えば液晶の長軸方向）は、一方の偏光板の吸収軸方向と平行（他方の偏光板の吸収軸方向とは垂直）となるように配設される。
【０００６】
液晶に電界を印加しない状態では、一方の偏光板を通過して液晶層に入射する直線偏光の電界振動方向は、ホモジニアス配向の液晶の配向軸方向と一致するため、液晶層を通過した後の偏光状態に変化が無く、他方の偏光板で吸収される。すなわちパネルの透過率が概ね最小となり、黒表示状態となる。このため、一般的なＦＦＳモードやＩＰＳモードの横電界方式の液晶パネルは、いわゆるノーマリーブラック方式の液晶パネルとなる。
【先行技術文献】
【特許文献】
【０００７】
【特許文献１】特開平９−３１８９２９号公報
【発明の概要】
【発明が解決しようとする課題】
【０００８】
しかしながら、これらＦＦＳモードやＩＰＳモードの液晶パネルの製造過程において、液晶パネルに応力が印加された場合には、黒輝度が上昇するいわゆる黒浮きが発生する。その結果、輝度の面内分布の低下を引き起こし、歩留まりが悪化する場合があった。特に、異型及び湾曲を有する液晶パネルなどにおいては、液晶パネルへの応力が発生しやすく、輝度の面内分布が低下する傾向があった。
【０００９】
なお、液晶パネルの輝度ムラに対する修正方法として、例えば特許文献１のように、輝度分布を測定し、その分布を補償するように、液晶パネルの透過率を決定する液晶の駆動電圧に補正を加えて調整することで、当該輝度ムラを改善する方法が提案されている。
【００１０】
しかしながら、ＦＦＳモードやＩＰＳモードの液晶パネルが一般的に有するノーマリーブラックの特性の場合、黒輝度が上昇した部分に対して、調整された駆動電圧を印加しても、輝度を十分に下げることができない場合がある。この場合、黒浮きの不良を修復することが困難であり、液晶表示装置の表示品質が低くなるという問題があった。
【００１１】
そこで、本発明は、上記のような問題点を鑑みてなされたものであり、液晶表示装置の表示品質を高めることが可能な技術を提供することを目的とする。
【課題を解決するための手段】
【００１２】
本発明に係る液晶表示装置は、液晶を含む液晶層と、前記液晶に電圧を印加する電極と、前記液晶層を挟む一対の偏光板とを含む、ノーマリーブラック方式の液晶パネルを備え、前記電圧が印加されていない場合の前記液晶の配向軸方向は、ホモジニアス配向の方向であり、かつ、前記電圧が印加された場合に前記液晶の配向軸方向が回転する方向とは逆の方向に、前記一対の偏光板のうちの一方の偏光板の吸収軸方向からシフトさせた方向であり、前記液晶パネルの局所エリアの透過率を予め定められた極小値にする場合に、前記局所エリアの前記液晶に前記電圧として第１電圧が印加され、前記液晶パネルの前記局所エリア以外の残りのエリアの透過率を予め定められた極小値にする場合に、前記残りのエリアの前記液晶に前記電圧として第２電圧が印加され、前記第１電圧が前記第２電圧と異なる。
【発明の効果】
【００１３】
本発明によれば、第１電圧が第２電圧と異なるので、液晶表示装置の表示品質を高めることができる。
【図面の簡単な説明】
【００１４】
【図１】実施の形態１に係る液晶表示装置の概略構成を示す断面図である。
【図２】実施の形態１に係る液晶表示装置のアレイ基板の一部を示す平面図である。
【図３】実施の形態１に係る液晶表示装置のアレイ基板の一部を示す拡大平面図である。
【図４】実施の形態１に係る液晶パネルの各軸の方向を説明するための図である。
【図５】実施の形態１に係る液晶パネルの電圧−透過率特性を説明するための図である。
【図６】実施の形態１に係る液晶パネルの輝度分布の一例を示す図である。
【図７】実施の形態１に係る液晶パネルの電圧−透過率特性を説明するための図である。
【図８】実施の形態２に係る液晶パネルの概略構成を示す斜視図である。
【発明を実施するための形態】
【００１５】
＜実施の形態１＞
図１は、本発明の実施の形態１に係る液晶表示装置の概略構成を示す断面図である。図１の液晶表示装置は、液晶パネル２１と、バックライト２８とを備える。液晶パネル２１は、アレイ基板２２と、対向基板２３と、液晶を含む液晶層２４と、一対の偏光板２５ａ，２５ｂとを備える。
【００１６】
アレイ基板２２は、詳細は図示しないが、例えば透明基板と、当該透明基板に配設された薄膜トランジスタ（ＴＦＴ）、電極及び配線とを含む。対向基板２３は、詳細は図示しないが、例えば透明基板と、当該透明基板に配設されたカラーフィルタ（ＣＦ）とを含む。対向基板２３は、アレイ基板２２と対向して配設されている。液晶層２４は、アレイ基板２２と対向基板２３との間に封止されている。
【００１７】
偏光板２５ａは、アレイ基板２２の外表面に貼り付けられており、偏光板２５ｂは、対向基板２３の外表面に貼り付けられている。つまり、一対の偏光板２５ａ，２５ｂは、液晶層２４を挟むように配設されている。アレイ基板２２の偏光板２５ａ側には光源となるバックライト２８が配設されている。なお、以下の説明では、アレイ基板２２の偏光板２５ａをアレイ側偏光板２５ａと記すこともあり、対向基板２３の偏光板２５ｂを対向基板側偏光板２５ｂと記すこともある。
【００１８】
図２は、アレイ基板２２における画素の一部を示す平面図であり、４画素の画素領域を拡大して示している。図２に示すようにアレイ基板２２は、信号配線１と、走査配線２と、ＴＦＴ３と、画素電極６と、共通配線７と、共通電極８とを含む。
【００１９】
信号配線１は、画素に印加する電圧をＴＦＴ３に与えるための配線であり、図２の縦方向に延在している。走査配線２は、電圧を印加する画素を選択する信号をＴＦＴ３に与える配線であり、信号配線１と絶縁された状態で信号配線１の延在方向と直交する方向に延在している。これら信号配線１と走査配線２とで囲まれた領域が画素領域として規定されている。
【００２０】
信号配線１と走査配線２との交差部分付近には、ＴＦＴ３が配設されている。ＴＦＴ３は、ソース電極４と、ドレイン電極５と、半導体層とを含む。ＴＦＴ３の半導体層は、断面視において走査配線２上に絶縁膜を介して配設されている。信号配線１と接続されたソース電極４と、画素電極６に接続されたドレイン電極５とは互いに離間されており、いずれもＴＦＴ３の半導体層と接続されている。
【００２１】
走査配線２の電圧がオン電圧である場合、ＴＦＴ３はオンとなり、信号配線１の電圧がＴＦＴ３（ソース電極４、半導体層、ドレイン電極５）を介して画素電極６に印加される。一方、走査配線２の電圧がオフ電圧である場合、ＴＦＴ３はオフとなり、信号配線１の電圧は画素電極６に印加されない。
【００２２】
画素電極６は、共通配線７に接続された共通電極８と対向して配設されており、共通配線７及び共通電極８はコの字型を有する。一つの画素電極６及び一つの共通電極８は、一対の櫛歯電極を構成し、液晶層２４の液晶に電圧（以下、駆動電圧と記すこともある）を印加する。画素電極６と共通電極８との間に生じる電界に対して液晶が応答することによって、液晶の配向軸方向、ひいては画素の透過率が変更される。液晶パネル２１の複数の画素において透過率が選択的に変更されることにより、液晶パネル２１において所望の表示を行うことができる。
【００２３】
図３は、図２の点線で囲まれる部分を拡大した平面図である。図３には、インプレインスイッチングモードでの櫛歯電極（画素電極６及び共通電極８）、液晶層２４の液晶２４ａ、アレイ側偏光板吸収軸方向、及び、対向基板側偏光板吸収軸方向の関係性が示されている。なお、アレイ側偏光板吸収軸方向とは、アレイ側偏光板２５ａの吸収軸の方向であり、対向基板側偏光板吸収軸方向とは、対向基板側偏光板２５ｂの吸収軸の方向である。
【００２４】
本実施の形態１では、各々の方位は、図３の右方向を０°とし、反時計回りを正方向として図４のように設定されている。
【００２５】
ここで、一般的なインプレインスイッチングモードについて説明する。一般的なインプレインスイッチングモードでは、一対の偏光板の吸収軸方向は互いに直交され、一対の偏光板のいずれか一方の吸収軸方向と、電界が印加されていない液晶の配向軸方向とが一致している。例えば、アレイ側偏光板吸収軸方向が９０°であり、対向基板側偏光板吸収軸方向が０°である場合、一般的な液晶の配向軸方向は０°または９０°に設計される。
【００２６】
液晶に電界を印加しない状態では、アレイ側偏光板を通過して液晶層に入射する直線偏光の電界振動方向は、ホモジニアス配向の液晶の配向軸方向（概ね水平方向）と平行または垂直となる。このため、液晶層を通過する偏光状態に変化が生じず、液晶層を通過した光は対向基板側偏光板ですべて吸収される。このため、以上のような液晶パネルは、櫛歯電極間に電圧を印加しないときに透過率が最も低くなり、これを黒表示状態とするいわゆるノーマリーブラック方式の液晶パネルとなる。
【００２７】
本実施の形態１に係る液晶パネル２１でも、上述のような一般的なインプレインスイッチングモードにおける光学設計と同様に、電圧が印加されていない場合の液晶２４ａの配向軸方向は、ホモジニアス配向の方向（概ね水平方向）となっている。ただし、本実施の形態１に係る液晶パネル２１では、一般的なインプレインスイッチングモードにおける光学設計とは異なり、一対の偏光板２５ａ，２５ｂのいずれか一方の吸収軸方向と、電界が印加されていない液晶の配向軸方向とは完全に一致していない。
【００２８】
具体的には、電圧が印加されていない場合の液晶２４ａの配向軸方向は、電圧が印加された場合に液晶２４ａの配向軸方向が回転する方向とは逆の方向に、一対の偏光板２５ａ，２５ｂのうちの一方の偏光板の吸収軸方向から少しシフトさせた方向となっている。図４の例では、このシフトによって、液晶２４ａの配向軸方向とアレイ側偏光板２５ａの吸収軸方向（対向基板側偏光板２５ｂの透過軸方向）との間に１°の角度のずれが設けられる。
【００２９】
液晶２４ａは櫛歯電極間に電圧を印加することで正方向に回転することから、当該電圧がある程度の電圧以上になるまでは、液晶２４ａの配向軸方向は、アレイ側偏光板２５ａの吸収軸方向に近づいていき、液晶パネル２１の透過率は低下していく。このため、図５のＶ−Ｔ特性（電圧−透過率特性）において実線で示されるように、液晶２４ａに印加される電圧が、０以外のある電圧である場合に、液晶パネル２１の透過率は極小値を有する。この特性は、図５の一点鎖線で示される特性、つまり液晶２４ａに印加される電圧が０である場合に透過率が最小となる一般的なノーマリーブラックの特性から少しずれた特性となっている。
【００３０】
そこで、本実施の形態１に係る液晶表示装置は、液晶パネル２１のほとんどのエリアの透過率を予め定められた極小値にする場合に、当該エリアの液晶２４ａに図５の０でない電圧Ｂを印加する。なお、透過率の予め定められた極小値は、現実の透過率の極小値に対応する値であり、例えば製造時などにおいて設定される値である。このように、液晶パネル２１のほとんどのエリアに電圧Ｂが印加されることにより、当該エリアの黒輝度が最小化される。
【００３１】
ここで、液晶パネル２１を作成し、仮に液晶パネル２１の全エリアに電圧Ｂを印加した場合の輝度分布を図６に示す。なお、図６では輝度の変化が多少誇張されて示されている。図６に示されるように、液晶パネル２１の点線で示される左上コーナ部の周辺に、応力のムラなどの要因によって黒輝度が上昇したエリア、つまり黒浮きが発生したエリアが存在している。
【００３２】
図７は、液晶パネル２１の黒浮きが発生したエリアのＶ−Ｔ特性（点線）と、液晶パネル２１の黒浮きが発生していないエリアのＶ−Ｔ特性（実線）とを示す図である。図７に示すように、黒浮きが発生したエリアのＶ−Ｔ特性は、黒浮きが発生していないエリアのＶ−Ｔ特性と異なっており、黒浮きが発生していないエリアのＶ−Ｔ特性の電圧を概ねずらした特性となっている。なお、黒浮きが発生したエリアのＶ−Ｔ特性、及び、黒浮きが発生していないエリアのＶ−Ｔ特性のいずれにおいても、透過率の最小値が透過率の極小値となるように、電圧が印加されていない場合の液晶２４ａの配向軸方向が設定されている。
【００３３】
本実施の形態１に係る液晶表示装置では、製造時などにおいて検出された黒浮きが発生したエリアが、局所エリアとして設定される。そして、液晶表示装置は、局所エリアの透過率を予め定められた極小値にする場合に、当該局所エリアの液晶２４ａに駆動電圧として図７の電圧Ａ（第１電圧）を印加し、局所エリア以外の残りの透過率を予め定められた極小値にする場合に、当該残りのエリアの液晶２４ａに駆動電圧として図７の電圧Ｂ（第２電圧）を印加する。ここで、電圧Ａは、電圧Ｂと異なっており、図７の例では電圧Ｂよりも小さい電圧である。
【００３４】
このような構成によれば、局所エリアの黒輝度及び残りのエリアの黒輝度のそれぞれを最小化することができるので、全エリアの黒輝度を最小化することができる。また、黒輝度の均一化すること、つまり、黒表示した際における黒輝度の面内分布を抑制することができる。
【００３５】
なお、本実施の形態１の液晶表示装置は、局所エリアの透過率を極小値以外の値でも適切化することができるように、局所エリアにおいて、図７の点線の特性を用い、残りのエリアにおいて、図７の点線の特性からシフトされた図７の実線の特性を用いるように構成されている。このような構成は、例えば、液晶表示装置が、パネル面内の局所エリア及び残りのエリアのそれぞれにおいて、白から黒に向けての階調表示に対応する駆動電圧（データ信号）を書き換え可能に記憶するデータ信号記憶素子（図示せず）を備えることによって実現することができる。
【００３６】
＜製造方法の説明＞
続いて、以上で説明した本実施の形態１の液晶表示装置及び液晶パネル２１を製造する方法について以下説明する。
【００３７】
本実施の形態１の液晶表示装置を製造する際においては、まず、櫛歯電極の延在方向、液晶２４ａの配向軸方向、アレイ側偏光板吸収軸方向、及び対向基板側偏光板吸収軸方向として、上記方向を有する液晶パネル２１を製造する。そして、パネル面内の黒表示電圧を設定するための、以下のような黒浮き検査工程、及び、最適黒表示電圧の決定工程を、液晶パネル２１に対して行なう。
【００３８】
黒浮き検査工程では、モジュール状態で、液晶パネル２１の全エリアの液晶に電圧Ｂを印加して黒表示させて、応力のムラ（黒浮き）の発生の有無について検査を行なう。具体的には、液晶パネル２１の全エリア内の複数の部分エリアについて輝度を測定し、測定した輝度が、黒輝度に関する所定範囲外となる部分エリアがあるか否かによって、応力のムラ（黒浮き）の発生の有無を検査する。
【００３９】
応力のムラ（黒浮き）の発生が確認された液晶表示装置には、黒浮き検査工程で確認された応力のムラ（黒浮き）が発生している部分エリアについて、最適黒表示電圧の決定工程が行なわれる。なお、黒浮き検査工程で確認された応力のムラ（黒浮き）が発生している部分エリアは、上記局所エリアとして設定される。以下の説明では、黒浮き検査工程で確認された応力のムラ（黒浮き）が発生している部分エリアを、発生エリアと記すこともある。このため、以下の説明では、黒浮き検査工程で確認された応力のムラ（黒浮き）が発生している部分エリアと、局所エリアと、発生エリアとは実質的に同じである。
【００４０】
さて最適黒表示電圧の決定工程では、発生エリアの黒輝度を測定しながら、発生エリアの液晶に電圧Ｂとゼロ電圧との間のいくつかの電圧を順番に印加する。例えば、そのような電圧の印加として、電圧Ｂから低電圧側に０．１ｍＶ刻みで変更された電圧を局所エリアの液晶に印加する。
【００４１】
そして、黒輝度が最も低くなる電圧を最適黒表示電圧（図７では電圧Ａ）として決定する。なお、黒輝度が最も低くなる電圧の決定として、電圧Ｂからゼロ電圧までの０．１ｍＶ刻みの全ての電圧での黒輝度を測定し、黒輝度が最も低くなる電圧を最適黒表示電圧として決定してもよい。または、黒輝度が最も低くなる電圧の決定として、黒輝度の変化が下降から上昇に転じるまで、電圧Ｂから低電圧側に０．１ｍＶ刻みで電圧を変更していき、黒輝度の変化が下降から上昇に転じた場合に、その上昇に転じる前の電圧と、その上昇に転じる後の電圧とのうち最も黒輝度が低くなる電圧を最適黒表示電圧として決定してもよい。
【００４２】
なお、上記説明の最適黒表示電圧の決定工程では、説明の簡易化のため、全ての発生エリアにおいて、概ね均一な輝度上昇が発生していると仮定して、全ての発生エリア内の最適黒表示電圧を一律に決定する場合を例示した。しかしながら、実際の応力のムラ、ひいては黒輝度上昇の程度は、全ての発生エリア内においても差が見られる場合が多い。そこで、黒浮き検査工程によって確認された全ての発生エリアを、部分エリアよりも小さな複数の微小エリアに分割し、当該分割された微小エリアごとに、上記の最適黒表示電圧の決定工程を行い、当該分割された微小エリアごとに最適黒表示電圧を決定してもよい。
【００４３】
また、上記工程に加えて、例えば、発生エリアの黒輝度を測定しながら、発生エリアの液晶に最適黒表示電圧（図７では電圧Ａ）から高電圧側に０．１ｍＶ刻みで電圧を印加すれば、発生エリアにおける各階調表示に適当な電圧を調べることができる。その結果として、図７において点線で示されるような、発生エリアのＶ−Ｔ特性のデータを取得することができる。取得されたＶ−Ｔ特性のデータが上記データ信号記憶素子に記憶された液晶表示装置は、Ｖ−Ｔ特性のデータに基づいて駆動電圧を決定することにより、比較的広い範囲の複数の階調表示（透過率）の中から所望の階調表示を、発生エリア（局所エリア）において行うことができる。
【００４４】
このＶ−Ｔ特性のデータの取得は、上記複数の微小エリアの各々においても行われてもよい。この場合、液晶表示装置は、Ｖ−Ｔ特性のデータに基づいて駆動電圧を決定することにより、比較的広い範囲の複数の階調表示（透過率）の中から所望の階調表示を、微小エリアにおいて行うことができる。
【００４５】
＜実施の形態１のまとめ＞
以上のような本実施の形態１によれば、局所エリアの透過率を予め定められた極小値にする場合に、局所エリアの液晶に電圧として第１電圧が印加され、局所エリア以外の残りのエリアの透過率を予め定められた極小値にする場合に、残りのエリアの液晶に電圧として第２電圧が印加され、第１電圧が第２電圧と異なる。このような構成によれば、液晶パネル２１の全エリアの黒輝度の最小化、及び、黒輝度の面内分布の抑制を実現することができるので、液晶表示装置の表示品質を高めることができる。
【００４６】
なお、液晶パネル２１は、インプレインスイッチングモードの液晶パネルに限ったものではなく、横電界方式の液晶パネルであればよい。例えば、液晶パネル２１は、横電界方式の液晶パネルの一種であって、スリットを有する上層電極と、平面状の下層電極とを備えるＦＦＳモードの液晶パネルであってもよい。
【００４７】
また、本実施の形態１に係る製造方法によれば、液晶パネル２１の全エリアの液晶に第２電圧を印加した場合の、全エリアの輝度の分布に基づいて、局所エリアを決定する。そして、局所エリアの液晶に印加される電圧の変化に対する、局所エリアの透過率の変化に基づいて、第１電圧を決定する。このような製造方法によれば、応力のムラ（黒浮き）の発生の有無や発生エリアがばらつく場合であっても、黒輝度の面内分布が抑制された液晶表示装置を歩留り良く製造することができる。
【００４８】
＜実施の形態２＞
図８は、本発明の実施の形態２に係る液晶パネル２１の概略構成を示す斜視図である。以下、本実施の形態２に係る構成要素のうち、上述の構成要素と同じまたは類似する構成要素については同じまたは類似する参照符号を付し、異なる構成要素について主に説明する。なお、以下の説明では、液晶パネル２１は、インプレインスイッチングモードの液晶パネルであるものとして説明するが、これに限ったものではなく、横電界方式の液晶パネルであればよい。
【００４９】
実施の形態１では、液晶パネル２１は、一般的な液晶パネルと同様に、矩形を平面視において有し、かつ、平板の表示画面を有していた。このような液晶パネル２１においては、応力のムラ（黒浮き）の発生に特定の傾向がないので、実施の形態１では、製造途中において、応力のムラ（黒浮き）の発生の有無や発生エリアを特定する黒浮き検査工程を行った。
【００５０】
一方、液晶パネルが、矩形以外の多角形または少なくとも一部に曲線を含む外形である異型を平面視において有する場合、または、湾曲を断面視において有する場合には、応力のムラ（黒浮き）の発生に特定の傾向が見られる。このため、液晶パネルがこのような形状を有する場合には、応力に伴って発生する応力のムラ（黒浮き）が特定エリアに発生する場合が多い。
【００５１】
このことに鑑みて、本実施の形態２に係る液晶表示装置が備える液晶パネル２１は、異型及び湾曲の少なくともいずれかを有しており、実施の形態１で説明した局所エリアが、予め特定された特定エリアとなっている。以下の説明では、本実施の形態２に係る液晶パネル２１は、図８に示すように、異型・湾曲型の液晶表示装置に備えられる、異型及び湾曲の両方を有する液晶パネル２１で場合を例にして説明する。
【００５２】
なお、異型・湾曲型の液晶表示装置は、異型を有する液晶パネルを備える異型液晶表示装置の特徴と、湾曲を有する液晶パネルを備える湾曲型液晶表示装置の特徴とを有する。この異型・湾曲型の液晶表示装置が備える図８の液晶パネル２１では、異型の外形に応じて、応力が大きい顕著な特定の応力分布が生じるため、応力のムラ（黒浮き）についても特定エリアに発生する傾向が強くなる。
【００５３】
ところで図８には、液晶パネル２１だけでなく、液晶パネル２１の表示面２１ａと、特定エリア２１ｂと、ゲート駆動回路基板２６と、ソース駆動回路基板２７とが示されている。ゲート駆動回路基板２６は、液晶表示装置に備えられる回路であり、図２の走査配線２に入力される信号を生成する回路である。ソース駆動回路基板２７は、液晶表示装置に備えられる回路であり、図２の信号配線１に入力される信号を生成する回路である。
【００５４】
本実施の形態２係る液晶表示装置でも、そのアレイ側偏光板吸収軸方向などの各方位は、実施の形態１の液晶表示装置の各方位と同様に、図４のように設定されている。したがって、本実施の形態２に係る液晶パネル２１においても、実施の形態１に係る液晶パネル２１と同様に、一対の偏光板２５ａ，２５ｂのいずれか一方の吸収軸方向と、電界が印加されていない液晶の配向軸方向とは完全に一致していない。
【００５５】
つまり、電圧が印加されていない場合の液晶２４ａの配向軸方向は、電圧が印加された場合に液晶２４ａの配向軸方向が回転する方向とは逆の方向に、一対の偏光板２５ａ，２５ｂのうちの一方の偏光板の吸収軸方向から少しシフトさせた方向となっている。このため、本実施の形態２に係る液晶パネル２１においても、図５のＶ−Ｔ特性において実線で示されるように、液晶２４ａに印加される電圧が、０以外のある電圧である場合に、液晶パネル２１の透過率は極小値を有する。
【００５６】
そして、本実施の形態２に係る液晶表示装置は、実施の形態１と同様に、局所エリアの透過率を予め定められた極小値にする場合に、当該局所エリアの液晶２４ａに駆動電圧として図７の電圧Ａ（第１電圧）を印加し、局所エリア以外の残りの透過率を予め定められた極小値にする場合に、当該残りのエリアの液晶２４ａに駆動電圧として図７の電圧Ｂ（第２電圧）を印加する。そして、電圧Ａが電圧Ｂと異なっている。
【００５７】
＜製造方法の説明＞
続いて、以上で説明した本実施の形態２の液晶表示装置及び液晶パネル２１を製造する方法のうち、特定エリアの特定方法について以下説明する。
【００５８】
まず、実施の形態２に係る液晶パネル２１の試作品として、当該液晶パネル２１と同じ試作パネルを準備する。この試作パネルは、液晶パネル２１が有する異型及び湾曲と同じ異型及び湾曲を有し、液晶パネル２１の光学設計と同じ光学設計が試作パネルに適用される。
【００５９】
この試作パネルに対して、実施の形態１で説明した黒浮き検査工程と最適黒表示電圧の決定工程とを順に行う。これにより、液晶パネル２１と設計が同じ試作パネルの発生エリアが特定エリアとして特定され、当該特定エリアに発生している黒浮きを解消するための最適黒表示電圧が決定される。
【００６０】
さて、例えば図８のように、長手方向である左右方向の両端を互いに近づけるように湾曲し、短手方向の下側から上側に進むにつれて上記両端の間の長さである幅が狭くなる液晶パネルを複数作成したとする。この場合、複数の液晶パネルにおいて、ある程度の再現性を持って、下側の左右方向の両端部において発生エリアが確認され、その箇所において特定エリア２１ｂが設定される傾向がある。また、特定エリア２１ｂにおける黒浮きを解消するための最適黒表示電圧も、ある程度の再現性を持つ。これらの再現性は、液晶パネル２１が、湾曲を有さずに異型を有する液晶パネルであっても、異型を有さずに湾曲を有する液晶パネルであってもある程度同様に成り立つ。
【００６１】
このため、異型及び湾曲の少なくともいずれかを有する液晶パネル２１及び試作パネルの間にも、上記のような再現性が存在する。このため、一度、試作パネルを用いて、黒浮きを解消するための最適黒表示電圧のデータを入手しておけば、液晶パネル２１を備える液晶表示装置のデータ信号記憶素子に、当該データを記憶させることで、黒輝度の面内分布が抑制された液晶表示装置を歩留り良く製造することができる。
【００６２】
＜実施の形態２のまとめ＞
以上のような本実施の形態２によれば、液晶パネル２１は、異型及び湾曲の少なくともいずれかを有する。そして、特定エリアの透過率を予め定められた極小値にする場合に、特定エリアの液晶に電圧として第１電圧が印加され、特定エリア以外の残りのエリアの透過率を予め定められた極小値にする場合に、残りのエリアの液晶に電圧として第２電圧が印加され、第１電圧が第２電圧と異なる。このような構成によれば、実施の形態１と同様に、液晶パネル２１の全エリアの黒輝度の最小化、及び、黒輝度の面内分布の抑制を実現することができる。
【００６３】
また、本実施の形態２に係る製造方法によれば、液晶パネル２１と同じ試作パネルを準備し、試作パネルの全エリアの液晶に第２電圧を印加した場合の、全エリアの輝度の分布に基づいて特定エリアを特定する。そして、試作パネルの特定エリアの液晶に印加される電圧の変化に対する、当該特定エリアの透過率の変化に基づいて、第１電圧を決定する。このような製造方法によれば、試作パネルから入手した、試作パネル及び液晶パネル２１の間で再現性が比較的高い発生エリア及び最適黒表示電圧のデータを、液晶パネル２１に利用することができる。このため、実施の形態１のように各液晶パネル２１に対して個別に黒浮き検査工程と最適黒表示電圧の決定工程とを行う必要がなくなるため、液晶表示装置の製造工程を簡素化することができる。
【００６４】
なお、本発明は、その発明の範囲内において、各実施の形態を自由に組み合わせたり、各実施の形態を適宜、変形、省略したりすることが可能である。
【符号の説明】
【００６５】
６  画素電極、８  共通電極、２１  液晶パネル、２１ｂ  特定エリア、２４  液晶層、２４ａ  液晶、２５ａ，２５ｂ  偏光板。
【図１】
2020201429.tif 000003
【図２】
2020201429.tif 000004
【図３】
2020201429.tif 000005
【図４】
2020201429.tif 000006
【図５】
2020201429.tif 000007
【図６】
2020201429.tif 000008
【図７】
2020201429.tif 000009
【図８】
2020201429.tif 000010